(57)【要約】【課題】記録媒体にテストパターンを形成する際に、記憶装置などの記憶領域を必要とせず任意のテストパターンを柔軟に形成することができること。【解決手段】主走査６００ｄｐｉ×副走査６００ｄｐｉの出力画像を得る画像形成装置の場合、主走査カウンタ、副走査カウンタを１２８ドット（副走査の場合は、１２８ライン）間隔にて計数し、論理演算することによって１ドット斜め格子パターンを生成することができるようになる。そして、パターン間隔を２５６ドットに変更することにより、２倍の間隔のパターンを生成することができる。【選択図】        図７
2005088553.tif 000002
【特許請求の範囲】
【請求項１】
記録媒体にテストパターンを形成する画像形成装置において、
前記テストパターン内に形成される一つのドットの位置から主走査方向または副走査方向の同一ライン上に形成される次のドットの位置までのパターン間隔を、予め定められた複数の値のなかから選択する選択手段と、
前記テストパターンの主走査方向のドット数をカウントするための主走査カウンタと副走査方向のドット数をカウントするための副走査カウンタとを用いて、前記選択手段によって選択された前記パターン間隔をそれぞれ計数する値を論理演算することにより前記テストパターンを生成する生成手段と、
を備えたことを特徴とする画像形成装置。
【請求項２】
前記選択手段は、前記パターン間隔を主走査方向または副走査方向のそれぞれの解像度の値に応じて選択することを特徴とする請求項１に記載の画像形成装置。
【請求項３】
前記生成手段は、主走査方向および副走査方向のそれぞれに対し、ドットを前記選択手段によって選択された前記パターン間隔おきに生成することにより、周期的なテストパターンを生成することを特徴とする請求項１または２に記載の画像形成装置。
【請求項４】
前記画像形成装置は、前記記録媒体に前記テストパターンを形成する場合に用いる操作設定を入力するための操作設定入力手段を備え、
前記選択手段によって選択される前記パターン間隔は、前記操作設定入力手段によって入力される前記操作設定によって選択されることを特徴とする請求項１〜３のいずれか一つに記載の画像形成装置。
【発明の詳細な説明】
【技術分野】
【０００１】
この発明は、用紙などの記録媒体に印刷をおこなう画像形成装置に関し、特に、主走査と副走査のカウンタを用いて論理演算をおこなうことによりテストパターンを柔軟に生成することができる画像形成装置に関する。
【背景技術】
【０００２】
従来、レーザプリンタやデジタル複写機などのいわゆる画像形成装置は、感光性ドラムや感光材料などにレーザ光を光変調させて照射し、露光することによって原稿の電荷パターンを形成し、逆の電荷を帯びたトナーを感光性ドラムに吸い付かせる。そのトナーを静電気を使って紙に付着させ、トナーがとれないように熱と圧力を加えて定着させ、記録媒体に出力している。このレーザ光による露光は、記録媒体を主走査方向と略直交する方向に搬送することで、記録媒体上に２次元画像を印刷するものである。
【０００３】
そして、このような画像形成装置では、最終的な印刷を記録媒体におこなう前段階で、網パターン、格子パターン、ドットパターン、あるいは文字パターン等のテスト用画像（校正用画像）を記録媒体に印刷し、その結果に基づいて画像形成装置を構成する光学系、機械系あるいは電気的な画像処理系などの補正や調整をおこない、所望の画像を記録媒体に印刷する場合がある。
【０００４】
通常、上述したような画像形成装置は、画像記録部側に網パターンや格子パターンなどの網点パターンにそれぞれ展開されたテスト用画像データを記憶するＲＯＭ等の記憶装置（メモリ）を設け、さらに、この記憶装置からアドレスを指定してテスト用画像データを読み出すための専用の読出制御回路を設けている。そして、これに対する技術として、メモリ内に網点や格子の基本となるパターンをデータとして記憶しておき、これら基本パターンを用いることにより、必要に応じてパターンを生成することで記憶領域を無駄にせずにテストパターンの印刷をおこなう提案がなされている（下記特許文献１参照。）。
【０００５】
【特許文献１】特開２００１−２６０４３２号公報
【発明の開示】
【発明が解決しようとする課題】
【０００６】
しかしながら、テストパターンを記憶する記憶装置や、専用の読出制御回路を備えた画像形成装置では、パターンデータをいくつも生成する場合、これを記憶保持するための記憶装置のメモリ容量が大きくなり、結果としてテストパターンを生成するための回路が大きくなってコストも高くなるという問題がある。さらに、特許文献１にて提案された方法であっても、テストパターンを記憶する領域を低減させつつ回路構成を簡単化させることはできるが、基本となるパターンを記憶装置に記憶させることには違いが無く、記憶領域を消費する点では同様となる。
【０００７】
また、上述した画像形成装置では、格子パターンや、斜め格子パターンといった一定の規則の繰り返しで作成できるような模様を生成する際にも、基本となるパターンから生成しなくてはならないため基本パターン分の記憶容量は必要とする。よって、記憶領域を消費せずに格子パターンや斜め格子パターンといった繰り返しを利用した視認性のよいテストパターンを生成できることが望まれる。
【０００８】
この発明は、上述した従来技術による問題点を解消するため、用紙などの記録媒体にテストパターンを形成する際に、予め記憶装置にパターンを記憶させず、カウンタを用いた論理演算によってパターンを生成することができるため、記憶装置などの記憶領域を必要とせず任意のテストパターンを柔軟に形成することができる画像形成装置を提供することを目的とする。
【課題を解決するための手段】
【０００９】
上述した課題を解決し、目的を達成するため、請求項１の発明にかかる画像形成装置は、記録媒体にテストパターンを形成する画像形成装置において、前記テストパターン内に形成される一つのドットの位置から主走査方向または副走査方向の同一ライン上に形成される次のドットの位置までのパターン間隔を、予め定められた複数の値のなかから選択する選択手段と、前記テストパターンの主走査方向のドット数をカウントするための主走査カウンタと副走査方向のドット数をカウントするための副走査カウンタとを用いて、前記選択手段によって選択された前記パターン間隔をそれぞれ計数する値を論理演算することにより前記テストパターンを生成する生成手段と、を備えることを特徴とする。
【００１０】
また、請求項２の発明にかかる画像形成装置は、請求項１に記載の発明において、前記選択手段は、前記パターン間隔を主走査方向または副走査方向のそれぞれの解像度の値に応じて選択することを特徴とする。
【００１１】
また、請求項３の発明にかかる画像形成装置は、請求項１または２に記載の発明において、前記生成手段は、主走査方向および副走査方向のそれぞれに対し、ドットを前記選択手段によって選択された前記パターン間隔おきに生成することにより、周期的なテストパターンを生成することを特徴とする。
【００１２】
また、請求項４の発明にかかる画像形成装置は、請求項１〜３のいずれか一つに記載の発明において、前記画像形成装置は、前記記録媒体に前記テストパターンを形成する場合に用いる操作設定を入力するための操作設定入力手段を備え、前記選択手段によって選択される前記パターン間隔は、前記操作設定入力手段によって入力される前記操作設定によって選択されることを特徴とする。
【発明の効果】
【００１３】
以上説明したように、本発明によれば、用紙などの記録媒体にテストパターンを形成する際に、予め記憶装置にパターンを記憶させず、カウンタを用いた論理演算によってパターンを生成することができるため、記憶装置などの記憶領域を必要とせず任意のテストパターンを柔軟に形成することができるという効果を奏する。
【発明を実施するための最良の形態】
【００１４】
以下に添付図面を参照して、この発明にかかる画像形成装置の好適な実施の形態を詳細に説明する。
【００１５】
まず、この発明の本実施の形態にかかる画像形成装置の一例である簡略化したデジタルフルカラー複写機の制御系のブロック図について説明する。図１は、この発明の本実施の形態にかかる画像形成装置の一例である簡略化したデジタルフルカラー複写機の制御系のブロック図である。図１に示す画像形成装置は、ＦＡＸＩ／Ｆ（インターフェース）１０１と、ＦＡＸ制御部１０２と、ホストＩ／Ｆ（インターフェース）１０３と、プリンタ制御部１０４と、原稿読取部１０５と、入力画像処理部１０６と、キー操作部１０７と、主制御部１０８と、メモリ部１０９と、書込み制御部１１０と、画像印字部１１１とから構成されている。
【００１６】
ＦＡＸインターフェース１０１は、ＦＡＸアプリケーションからのインターフェースであり、ＦＡＸにて送受信するデータの受け渡しをおこなうインターフェースとなる部分である。ＦＡＸ制御部１０２は、ＦＡＸインターフェース１０１にて送受信するデータを、各ＦＡＸの通信仕様に合わせる処理をおこなう。
【００１７】
ホストインターフェース１０３は、他の画像形成装置やパーソナルコンピュータなどのホスト装置からネットワークを介して画像データの受け渡しをおこなう。プリンタ制御部１０４は、ホストインターフェース１０３からのデータを不図示のコントローラを介して処理をおこなう。原稿読取部１０５は、原稿を原稿台あるいはＡＤＦ（Ａｕｔｏ  Ｄｏｃｕｍｅｎｔ  Ｆｅｅｄｅｒ）から読み取る。入力画像処理部１０６は、原稿読取部１０５から読み取った原稿の入力を制御する。
【００１８】
キー操作部１０７は、デジタルフルカラー複写機に備えられたアプリケーションの選択、プリント枚数、用紙サイズ、拡大または縮小、ユーザプログラム（ＵＰ）、サービスプログラム（ＳＰ）の各選択キーまたは設定キー、その他の各設定と、設定モードのクリア、動作の開始と停止をおこなうための各種キーを備える。
【００１９】
主制御部１０８は、デジタルフルカラー複写機本体への各アプリケーションからのデータの受け渡しを総括制御する制御部で、ＣＰＵをはじめとした各周辺アプリケーションを制御する制御回路との通信、タイミング制御、コマンドＩ／Ｆ（インターフェース）を司る。
【００２０】
メモリ部１０９は、ＦＡＸ制御部１０２、プリンタ制御部１０４、入力画像処理部１０６からの画像データを記憶させておく。書込み制御部１１０は、主制御部１０８からの画像データに対し転写紙サイズに合わせた画像領域の設定、およびＬＤ変調をおこなって複写機の画像印字部１１１に送出する。画像印字部１１１は、感光体（ＯＰＣ）、中間転写ベルトなどの転写を経由して転写紙に画像を印字して定着出力する。
【００２１】
実際の印字動作は、キー操作部１０７から送出する信号に応じて各部の制御を設定し、主制御部１０８からの命令信号により印字動作が開始される。そして、コピー処理がおこなわれる場合の書込み制御部１１０の動作は、主制御部１０８の制御により入力画像処理部１０６から読み取った画像データを書込み制御部１１０に送出する。そして、送出された画像データを画像印字部１１１を駆動することにより印字する。この上述した動作を、書込み制御部１１０によって、主走査方向および副走査方向に繰り返すことによって複数枚数の印字を連続しておこなう。
【００２２】
図２は、この発明の本実施の形態にかかる画像形成装置のシステム構成を表す説明図である。図２では、図１に示した書込み制御部１１０を含む画像印字部１１１の動作を説明する。
【００２３】
書込みユニット２０１（図１の書込み制御部１１０を指す）から露光されるレーザ光によって感光体ベルト２１４上に潜像を形成し、Ｂｌａｃｋ２０２ａ，Ｙｅｌｌｏｗ２０２ｂ，Ｃｙａｎ２０２ｃ，Ｍａｇｅｎｔａ２０２ｄの各色の現像器によりトナー現像をおこなう。また、帯電ブラシ２０５と、除電２０４と、感光体クリーニング２０３とをそれぞれ用いることによって、感光体の除電または帯電をおこなう。
【００２４】
この後、中間転写ベルト２０６と、クリーニングブラシローラ２０７と、１次転写ブラシ２０８とによって中間転写をおこない、給紙トレイ２０９から給紙された用紙を、２次転写ローラ２１０で搬送し、画像を形成する。形成された画像は、定着ユニット２１１により熱定着がおこなわれ、分岐ユニット２１２を通って本体へ排紙されるか、もしくは図２の場合であれば両面機２１３へのいずれかの排紙経路を通ることになる。
【００２５】
図３は、この発明の本実施の形態にかかる書込みユニット内に配置される書込み制御部の内部構成の一例を示す説明図である。本実施の形態では、ＬＤ（Ｌａｓｅｒ  Ｄｉｏｄｅ）の数が２ＬＤ方式であるデジタルフルカラー複写機を前提として説明する。
【００２６】
ＣＰＵ３０１および画像処理ＩＣ３０２を有する主制御部１０８から、矢印３０９を通じて画像データを、そして、矢印３１０をコマンドを送るコマンドＩ／Ｆとして、書込み画像処理ＩＣ３０３に送出し、レジスタを設定することによって、書込み画像領域の設定や、画像データの受け渡しなどをおこなう。また、画素クロック生成／ＬＤ変調ＩＣ３０４は、ＬＤａ３０５,ＬＤｂ３０６からレーザ光を出力し、ポリゴンミラー３０７の回転により偏光されたレーザ光は、同期検知３０８を通して同期検知信号を生成する。
【００２７】
さらに、画素クロック生成／ＬＤ変調ＩＣ３０４は、この同期検知信号を書込み画像処理ＩＣ３０３で同期化した、各ＬＤの同期信号ｘｄｐｏｕｔ１,ｘｄｐｏｕｔ２を出力したものを入力し、ＬＤＣＬＫ１,ＬＤＣＬＫ２を書込み画像処理ＩＣ３０３にフィードバック出力する。また、さらに、画素クロック生成／ＬＤ変調ＩＣ３０４は、同期信号ｘｄｐｏｕｔ１,ｘｄｐｏｕｔ２に従って、書込み画像処理ＩＣ３０３から画像データであるＬＤＤＡＴＡ１，ＬＤＤＡＴＡ２が入力される。
【００２８】
同期検知後の各ＬＤ制御に対応する画素クロックは、図３に示すように書込み画像処理ＩＣ３０３の内部同期信号を基準として、主走査カウンタおよび副走査カウンタをそれぞれ計数し、それら主走査カウンタおよび副走査カウンタの任意のビットの論理演算により、所望の内部テストパターンを得ることができる。
【００２９】
以下では、主走査６００ｄｐｉ×副走査６００ｄｐｉの出力画像を得る画像形成装置を説明する。このときの主走査カウンタ、副走査カウンタのパターン間隔を設定するデフォルト値は、１２８ドット（副走査の場合は、１２８ライン）の間隔にて計数するものとする。
【００３０】
そして、パターン間隔の変更は、１２８ドット（副走査の場合は、１２８ライン）から２５６ドット（副走査の場合は、２５６ライン）に切り替えられるものとし、切り替える際におこなうレジスタ設定は、予め決めた値を複数設定しておき、そのなかからパターン幅拡張選択フラグを用いて選択する。なお、本実施の形態では１２８ドットから２５６ドットへのパターン間隔の拡大を説明するが、逆の縮小変更もおこなうことができるものとする。また、主走査６００ｄｐｉ×副走査６００ｄｐｉの解像度の際、１２８ドット（副走査の場合は、１２８ライン）は約５．４ｍｍ間隔となり、２５６ドット（副走査の場合は、２５６ライン）は約１０．８ｍｍ間隔に拡大されることになる。
【００３１】
ここで、１ドット格子パターンを印刷する場合の例を示す。斜めの格子パターンは転写紙搬送方向に対して、右上がり、右下がりの直線が直行して繰り返されるパターンであり、主走査カウンタをｒｇｃｎｔ、副走査カウンタをｆｃｏｕｎｔとした変数で表し、各々の任意のビットによる論理演算にて生成されるものとする。
【００３２】
まず、斜めの格子パターンを生成するには以下のような演算がされる。右下がり成分は、ｏｂｃｈｋｘ＿６００＿ｆｌａｇの変数にて表し、ｆｃｏｕｎｔを代入して以下のように式（１）とする。
【００３３】
ｏｂｃｈｋｘ＿６００＿ｆｌａｇ＝ｆｃｏｕｎｔ［６：１］・・・（１）
【００３４】
つぎに、式（１）を、主走査カウンタのビットを表現したｒｇｃｎｔ［６：１］と論理演算をおこない、その一致点を求める。ここで、上述した［６：１］は、カウンタの８ビットの桁のうち、１から６桁までの任意の桁を使って印字する位置を表す。
【００３５】
つぎに示す式（２）は、上述した式（１）とｒｇｃｎｔとの演算をおこない、先行ＬＤの発光動作は、ｏｂｃｈｋｘ６００＿ＬＤ１として表わされる。
【００３６】
ｏｂｃｈｋｘ６００＿ＬＤ１＝ｏｂｃｈｋｘ＿６００＿ｆｌａｇ＆（ｒｇｃｎｔ［０］＝＝０）・・・（２）
【００３７】
ここで、ｒｇｃｎｔ［０］＝＝０は、主走査カウンタの先頭ビットが０の場合に先行ＬＤの演算に用いられることを表し、０である場合にｏｂｃｈｋｘ＿６００＿ｆｌａｇと論理積がとられる。同様に、後行ＬＤは以下の式（３）となる。これら、式（２）と式（３）により右下がり成分を生成することができる。
【００３８】
ｏｂｃｈｋｘ６００＿ＬＤ２＝ｏｂｃｈｋｘ＿６００＿ｆｌａｇ＆（ｒｇｃｎｔ［０］＝＝１）・・・（３）
【００３９】
一方、右上がり成分は、式（４）のようにｏｂｃｈｋｙ＿６００＿ｆｌａｇとし、以下のように求める。
【００４０】
ｏｂｃｈｋｙ＿６００＿ｆｌａｇ＝ｆｃｏｕｎｔ［６：１］・・・（４）
【００４１】
そして、式（４）を、右下がり成分のときとは反対に、主走査カウンタのビットを表現したｒｇｃｎｔ［６：１］の否定となる！ｒｇｃｎｔ［６：１］と論理演算をおこない、その一致点を求める。
【００４２】
つぎに、先行ＬＤの発光動作であるｏｂｃｈｋｙ６００＿ＬＤ１は、式（５）として表わされる。
【００４３】
ｏｂｃｈｋｙ６００＿ＬＤ１＝ｏｂｃｈｋｙ＿６００＿ｆｌａｇ＆（ｒｇｃｎｔ［０］＝＝１）・・・（５）
【００４４】
また、後行ＬＤは以下の式（６）となる。
【００４５】
ｏｂｃｈｋｙ６００＿ＬＤ２＝ｏｂｃｈｋｙ＿６００＿ｆｌａｇ＆（ｒｇｃｎｔ［０］＝＝０）・・・（６）
【００４６】
このように、式（５）と式（６）から、右上がり成分は、右下がり成分の副走査カウンタの否定となる補数を用いることにより生成することができる。そして、上述した右上がり成分と、右下がり成分の論理和を各ＬＤごとにとる。
【００４７】
ｏｂｃｈｋ６００＿ＬＤ１＝ｏｂｃｈｋｘ６００＿ＬＤ１｜ｏｂｃｈｋｙ６００＿ＬＤ１・・・（７）
ｏｂｃｈｋ６００＿ＬＤ２＝ｏｂｃｈｋｘ６００＿ＬＤ２｜ｏｂｃｈｋｙ６００＿ＬＤ２・・・（８）
【００４８】
これら、論理和をとった結果である式（７）と式（８）が、６００ｄｐｉにおける１ドット斜め格子パターンを生成する。
【００４９】
つぎに、上述した１ドット斜め格子パターンに対して、パターン幅を２倍にした斜め格子パターンの例を示す。この斜め格子パターンの場合も前述した１ドット斜め格子パターンと同様、転写紙搬送方向に対して、右上がり、右下がりの直線が直行して繰り返されるパターンである。
【００５０】
まず、右下がり成分は、ｏｂｃｈｋｘ＿６００＿ｆｌａｇ＿ｘ２の変数にて表し、ｆｃｏｕｎｔを代入して以下のように式（９）とする。
【００５１】
ｏｂｃｈｋｘ＿６００＿ｆｌａｇ＿ｘ２＝ｆｃｏｕｎｔ［７：１］・・・（９）
【００５２】
つぎに、式（９）を、主走査カウンタのビットを表現したｒｇｃｎｔ［７：１］と論理演算をおこない、その一致点を求める。ここで、上述した［７：１］は、カウンタの８ビットの桁のうち、１から７桁までの任意の桁を使って印字する位置を表す。
【００５３】
つぎに示す式（１０）は、上述した式（９）とｒｇｃｎｔとの演算をおこない、先行ＬＤの発光動作は、ｏｂｃｈｋｘ６００＿ＬＤ１＿ｘ２として表わされる。
【００５４】
ｏｂｃｈｋｘ６００＿ＬＤ１＿ｘ２＝ｏｂｃｈｋｘ＿６００＿ｆｌａｇ＿ｘ２＆（ｒｇｃｎｔ［０］＝＝０）・・・（１０）
【００５５】
同様に、後行ＬＤは式（１１）となり、これら、式（１０）と式（１１）により右下がり成分を生成することができる。
【００５６】
ｏｂｃｈｋｘ６００＿ＬＤ２＿ｘ２＝ｏｂｃｈｋｘ＿６００＿ｆｌａｇ＿ｘ２＆（ｒｇｃｎｔ［０］＝＝１）・・・（１１）
【００５７】
一方、右上がり成分は、式（１２）となる。
【００５８】
ｏｂｃｈｋｙ＿６００＿ｆｌａｇ＿ｘ２＝ｆｃｏｕｎｔ［７：１］・・・（１２）
【００５９】
式（１２）は、右下がり成分のときとは反対に、主走査カウンタのビットを表現したｒｇｃｎｔ［７：１］の否定となる！ｒｇｃｎｔ［７：１］と論理演算をおこない、その一致点を求める。
【００６０】
つぎに、先行ＬＤの発光動作であるｏｂｃｈｋｙ６００＿ＬＤ１＿ｘ２は、式（１３）として表わされる。
【００６１】
ｏｂｃｈｋｙ６００＿ＬＤ１＿ｘ２＝ｏｂｃｈｋｙ＿６００＿ｆｌａｇ＿ｘ２＆（ｒｇｃｎｔ［０］＝＝１）・・・（１３）
【００６２】
また、後行ＬＤは以下の式（１４）となる。
【００６３】
ｏｂｃｈｋｙ６００＿ＬＤ２＿ｘ２＝ｏｂｃｈｋｙ＿６００＿ｆｌａｇ＿ｘ２＆（ｒｇｃｎｔ［０］＝＝０）・・・（１４）
【００６４】
このように、式（１３）と式（１４）から、右上がり成分は、右下がり成分の副走査カウンタの否定となる補数を用いることにより生成することができる。そして、上述した右上がり成分と、右下がり成分の論理和を各ＬＤごとにとる。
【００６５】
ｏｂｃｈｋ６００＿ＬＤ１＿ｘ２＝ｏｂｃｈｋｘ６００＿ＬＤ１＿ｘ２｜ｏｂｃｈｋｙ６００＿ＬＤ１＿ｘ２・・・（１５）
ｏｂｃｈｋ６００＿ＬＤ２＿ｘ２＝ｏｂｃｈｋｘ６００＿ＬＤ２＿ｘ２｜ｏｂｃｈｋｙ６００＿ＬＤ２＿ｘ２・・・（１６）
【００６６】
これら、論理和をとった結果である式（１５）と式（１６）が、６００ｄｐｉにおける１ドット斜め格子パターンの２倍のパターン間隔を生成する。
【００６７】
なお、本実施の形態では、これら２つのパターン幅をもったそれぞれのパターンに対して、図３に示したＣＰＵ３０１から、書込み画像処理ＩＣ３０３に対してパターン幅拡張選択フラグを与えて、式（１）と式（９）を予め選択する構成としてもよい。これは、たとえば、パターン幅拡張選択フラグが真のときに、パターン幅が２倍に拡張された式（９）が選択され、結果としてパターン幅の広い斜め格子パターンが得られるようにするものである。そして、このパターン幅拡張選択フラグの設定は、図１に示したキー操作部１０７からおこなうようにしてもよい。こうすることによって、操作者が簡単に指定することができるようになる。
【００６８】
また、パターン幅拡張選択フラグの初期状態および状態を表す数値は任意に決めてよく、さらにパターン幅を拡張ないし、縮小する構成をとっても構わない。また、本実施の形態では斜め格子パターンを一例としたが、主走査カウンタと副走査カウンタを論理演算することによって生成されるテストパターンであれば、その種類は問わないものとする。
【００６９】
また、図３に示した例では、画像形成装置を２ＬＤ方式として説明したが、従来の１ＬＤ方式であってもよい。さらには、ＬＤを３つ以上備えたものであってもよく、いずれの場合もパターンを生成する論理演算の式が変わるのみで、テストパターンの生成自体はＬＤの数に影響を受けるものではない。
【００７０】
図４は、この発明の本実施の形態にかかる印刷パターンの一例を示すテストパターン１の説明図である。図４では、用紙などの記録媒体に印字テストとして出力するテストパターンの一例を示したものである。
【００７１】
用紙４０１には、矢印４０２の搬送方向に搬送され、図３にて示した書込み制御部１１０内に設置されるＬＤａ３０５,ＬＤｂ３０６から照射されるレーザ光を、光変調により制御することによって図４に示すテストパターンが印刷される。この例では、線幅が１ドットで、格子状の模様が斜めに印字された１ドット斜め格子と呼ばれるテストパターンが印刷されている。パターンの細部は、詳細４０３にて拡大表示しており、線幅は１ドットで、斜めに印刷された直線が交差する格子の対角を結ぶ幅をパターン間隔４０４としている。
【００７２】
図５は、この発明の本実施の形態にかかる印刷パターンの一例を示すテストパターン２の説明図である。図５では、図４と同様、用紙などの記録媒体に印字テストとして出力するテストパターンの一例を示すものである。
【００７３】
用紙５０１には、矢印５０２の搬送方向に搬送され、図３にて示した書込み制御部１１０内に設置されるＬＤａ３０５,ＬＤｂ３０６から照射されるレーザ光を、光変調により制御することによって図５に示すテストパターンが印刷される。この例では、線幅が２ドットで、格子状の模様が斜めに印字された２ドット斜め格子と呼ばれるテストパターンが印刷されている。パターンの細部は、詳細５０３にて拡大表示しており、線幅は２ドットで、斜めに印刷された直線が交差する格子の対角を結ぶ幅をパターン間隔５０４としている。
【００７４】
図６は、この発明の本実施の形態にかかる解像度と印刷パターンの関係の一例を表す説明図である。図６では、走査線ごとの解像度と、図４，５をはじめとする印刷パターンの設定との関係を示している。図に示す表は、左から、主走査解像度６０１（単位は、ｄｐｉ）と、副走査解像度６０２（単位は、ｄｐｉ）と、主走査ドットピッチ６０３と、副走査ラインピッチ６０４と順に記載している。
【００７５】
まず、主走査方向の解像度である主走査解像度６０１が１２００ｄｐｉ、副走査方向の解像度である副走査解像度６０２が１２００ｄｐｉの場合、主走査方向に選択できる主走査ドットピッチ６０３は２５６ドットもしくは５１２ドットの２通りであり、副走査方向に選択できる副走査ラインピッチ６０４は２５６ラインもしくは５１２ラインの２通りとなる。
【００７６】
つぎに、主走査方向の解像度である主走査解像度６０１が１２００ｄｐｉ、副走査方向の解像度である副走査解像度６０２が６００ｄｐｉの場合、主走査方向に選択できる主走査ドットピッチ６０３は２５６ドットもしくは５１２ドットの２通りであり、副走査方向に選択できる副走査ラインピッチ６０４は１２８ラインもしくは２５６ラインの２通りとなる。
【００７７】
そして、主走査方向の解像度である主走査解像度６０１が６００ｄｐｉ、副走査方向の解像度である副走査解像度６０２が６００ｄｐｉの場合、主走査方向に選択できる主走査ドットピッチ６０３は１２８ドットもしくは２５６ドットの２通りであり、副走査方向に選択できる副走査ラインピッチ６０４は１２８ラインもしくは２５６ラインの２通りとなる。
【００７８】
図７は、この発明の本実施の形態にかかる斜め格子パターンの一例を示す説明図である。図７では、図６にて示した主走査解像度６０１と副走査解像度６０２がともに６００ｄｐｉの場合の、主走査ドットピッチ６０３と副走査ラインピッチ６０４のパターン間隔の拡大した様子を示している。
【００７９】
パターン７０１は、パターン間隔である間隔７０２が１２８ドットの斜め格子パターンを示している。パターン間隔は、ある一つのドットが形成された場合に、主走査方向および副走査方向の同一ライン上に、つぎのドットが形成されるまでの距離を表すものである。このパターン間隔は、予め設定された複数の値のなかから自動的に選択されるか、もしくは、キー操作部１０７からの入力によりパターン幅拡張選択フラグが選択されることで間隔が変更される。これにより、パターン７０１の間隔７０２を２倍にしたものがパターン７０３となり、パターン７０３は間隔７０４が２５６ドットの斜め格子パターンを示すものである。
【００８０】
なお、本実施の形態では、図１にて画像形成装置としてデジタルフルカラー複写機の一例を示したが、フルカラーレーザプリンタや、デジタル複合機などであってもよい。
【００８１】
以上説明したように、実施の形態によれば、主走査解像度６０１と副走査解像度６０２がともに６００ｄｐｉの出力画像を得る画像形成装置の場合、主走査カウンタと副走査カウンタをともに１２８ドット（副走査の場合は、１２８ライン）間隔にて計数し、論理演算することによって１ドット斜め格子パターンを生成することができるようになる。そして、パターン間隔をともに２５６ドットに変更することにより、２倍の間隔の１ドット斜め格子パターンを生成することができるようになる。
【００８２】
また、画像形成装置の出力の解像度によってテストパターンを生成できるので各種印刷のテストを簡単におこなうことができるようになる。また、主走査カウンタと副走査カウンタの論理演算をおこなうことによって、周期的な模様である格子パターンや斜め格子パターンなどの視認性のよいテストパターンを容易に生成させることができる。さらに、キー操作部１０７からテストパターンのパターン間隔を設定できるので操作者にとって利便性の高い画像形成装置を得ることができる。
【産業上の利用可能性】
【００８３】
以上のように、本発明にかかる画像形成装置は、任意のテストパターンを柔軟に形成するために有用であり、特に、記憶装置などの記憶領域を節約し専用の回路を簡単化させる場合に適している。
【図面の簡単な説明】
【００８４】
【図１】この発明の本実施の形態にかかる画像形成装置の一例である簡略化したデジタルフルカラー複写機の制御系のブロック図である。
【図２】この発明の本実施の形態にかかる画像形成装置のシステム構成を表す説明図である。
【図３】この発明の本実施の形態にかかる書込みユニット内に配置される書込み制御部の内部構成の一例を示す説明図である。
【図４】この発明の本実施の形態にかかる印刷パターンの一例を示すテストパターン１の説明図である。
【図５】この発明の本実施の形態にかかる印刷パターンの一例を示すテストパターン２の説明図である。
【図６】この発明の本実施の形態にかかる解像度と印刷パターンの関係の一例を表す説明図である。
【図７】この発明の本実施の形態にかかる斜め格子パターンの一例を表す説明図である。
【符号の説明】
【００８５】
１０１  ＦＡＸＩ／Ｆ（インターフェース）
１０２  ＦＡＸ制御部
１０３  ホストＩ／Ｆ（インターフェース）
１０４  プリンタ制御部
１０５  原稿読取部
１０６  入力画像処理部
１０７  キー操作部
１０８  主制御部
１０９  メモリ部
１１０  書込み制御部
１１１  画像印字部
２０１  書込みユニット
２０２ａ  Ｂｌａｃｋ
２０２ｂ  Ｙｅｌｌｏｗ
２０２ｃ  Ｃｙａｎ
２０２ｄ  Ｍａｇｅｎｔａ
２０３  感光体クリーニング
２０４  除電
２０５  帯電ブラシ
２０６  中間転写ベルト
２０７  クリーニングブラシローラ
２０８  １次転写ブラシ
２０９  給紙トレイ
２１０  ２次転写ローラ
２１１  定着ユニット
２１２  分岐ユニット
２１３  両面機
２１４  感光体ベルト
３０１  ＣＰＵ
３０２  画像処理ＩＣ
３０３  書込み画像処理ＩＣ
３０４  画素クロック生成／ＬＤ変調ＩＣ
３０５  ＬＤａ
３０６  ＬＤｂ
３０７  ポリゴンミラー
３０８  同期検知
３０９，３１０，４０２，５０２  矢印
４０１，５０１  用紙
６０１  主走査解像度
６０２  副走査解像度
６０３  主走査ドットピッチ
６０４  副走査ラインピッチ
７０１，７０３  パターン
７０２，７０４  間隔
【図１】
2005088553.tif 000003
【図２】
2005088553.tif 000004
【図３】
2005088553.tif 000005
【図４】
2005088553.tif 000006
【図５】
2005088553.tif 000007
【図６】
2005088553.tif 000008
【図７】
2005088553.tif 000009